(57)【特許請求の範囲】
【請求項１】
テーブル本体における表裏両面の少なくとも一方の面がテーブル面になっているコンソール用テーブルであって、
テーブル本体に対し、そのテーブル面に開口させた状態で設けられたガイド孔と、このガイド孔に組付けられ、テーブル面に対して突出あるいは後退する方向へのスライドが可能なフック部材と、このフック部材におけるテーブル面側の端部に設けられた係止部とを備え、係止部は、フック部材をテーブル面に突出させることで、該テーブル面との間において所定の対象物を保持することが可能な状態となり、フック部材をテーブル面から後退させることで、該テーブル面と面一状態になるように構成されているコンソール用テーブル。
【請求項２】
請求項１に記載されたコンソール用テーブルであって、
テーブル本体の表裏両面がテーブル面になっており、ガイド孔が両テーブル面に開口させた状態に貫通して設けられ、このガイド孔に組付けられたフック部材は、両テーブル面に対して交互に突出あるいは後退する方向へのスライドが可能であり、かつ、このフック部材の両端部にそれぞれ係止部が設けられ、両係止部は、フック部材をテーブル面に突出させた側では該テーブル面との間で所定の対象物を保持することが可能な状態となり、フック部材をテーブル面から後退させた反対側ではテーブル面と面一状態となるように構成されているコンソール用テーブル。
【請求項３】
請求項１又は２に記載されたコンソール用テーブルであって、
フック部材には、そのスライド方向に沿って延びるスライド溝が設けられ、テーブル本体には、そのガイド孔内においてフック部材のスライド溝内を挿通するスライド受け軸が固定され、スライド溝とスライド受け軸との間の摩擦力により、フック部材のスライドに対して所定の抵抗力を与えるように構成されたコンソール用テーブル。
【発明の詳細な説明】
【技術分野】
【０００１】
本発明は、主として自動車用のセンターコンソールなどに設けられるコンソール用テーブルに関する。詳しくは、表裏両面の少なくとも一方の面がテーブル面になっているコンソール用テーブルに関する。
【背景技術】
【０００２】
この種のコンソール用テーブルのテーブル面に、本来のテーブルとしての機能に加えてタブレットＰＣ等を保持する機能があると、駐車中などにタブレットＰＣ等を使用するときに、それを腕で抱えなくても済むので便利である。このような保持機能は、テーブル面にタブレットＰＣ等を定位置で移動しないように保持する突起部を設けることで対応できる。また、表裏両面をテーブル面として使用できるタイプのコンソール用テーブルでは、これらの両テーブル面に突起部を設ける必要がある。
なお、特許文献１に、一端部を支点とする回転操作によって開閉できる一般的なコンソールのリッドにおいて、このリッドの裏面をテーブルとして利用する技術が開示されている。
【先行技術文献】
【特許文献】
【０００３】
【特許文献１】特開平１０−２４４８７９号公報
【発明の概要】
【発明が解決しようとする課題】
【０００４】
コンソール用テーブルのテーブル面にタブレットＰＣ等を保持する突起部があると、そのテーブル面が平坦でなくなり、テーブル面としての本来の機能が損なわれる。
【０００５】
本発明は、このような課題を解決しようとするもので、その目的は、テーブル面としての本来の機能を損なうことなく、該テーブル面にタブレットＰＣ等の対象物を保持する機能をもたせることである。
【課題を解決するための手段】
【０００６】
本発明は、上記の目的を達成するためのもので、以下のような構成になっている。
テーブル本体における表裏両面の少なくとも一方の面がテーブル面になっているコンソール用テーブルであって、テーブル本体に対し、そのテーブル面に開口させた状態で設けられたガイド孔と、このガイド孔に組付けられ、テーブル面に対して突出あるいは後退する方向へのスライドが可能なフック部材と、このフック部材におけるテーブル面側の端部に設けられた係止部とを備えている。係止部は、フック部材をテーブル面に突出させることで、該テーブル面との間において所定の対象物を保持することが可能な状態となり、フック部材をテーブル面から後退させることで、該テーブル面と面一状態になるように構成されている。
【０００７】
より好ましくは、つぎの構成を有することである。
テーブル本体の表裏両面がテーブル面になっており、ガイド孔が両テーブル面に開口させた状態に貫通して設けられている。このガイド孔に組付けられたフック部材は、両テーブル面に対して交互に突出あるいは後退する方向へのスライドが可能であり、かつ、このフック部材の両端部にそれぞれ係止部が設けられている。両係止部は、フック部材をテーブル面に突出させた側では該テーブル面との間で所定の対象物を保持することが可能な状態となり、フック部材をテーブル面から後退させた反対側ではテーブル面と面一状態となるように構成されている。
【０００８】
さらに好ましくは、フック部材に、そのスライド方向に沿って延びるスライド溝が設けられ、テーブル本体には、そのガイド孔内においてフック部材のスライド溝内を挿通するスライド受け軸が固定され、スライド溝とスライド受け軸との間の摩擦力により、フック部材のスライドに対して所定の抵抗力を与えるように構成されることである。
【発明の効果】
【０００９】
本発明は、フック部材をテーブル本体のテーブル面に突出させることで、フック部材の係止部とテーブル面との間において所定の対象物を保持することが可能となり、フック部材をテーブル本体のテーブル面から後退させることで、係止部がテーブル面と面一状態になる。これにより、テーブル面としての本来の機能を損なうことなく、このテーブル面にタブレットＰＣ等の対象物を保持する機能をもたせることができる。
【００１０】
本発明によれば、テーブル本体の両テーブル面において、フック部材を突出させた側では該フック部材の係止部とテーブル面との間で所定の対象物を保持することが可能で、フック部材をテーブル面から後退させた反対側では係止部がテーブル面と面一状態になる。これにより、両テーブル面のいずれか一方はテーブルとして支障なく使用することができ、他方はタブレットＰＣ等の対象物を保持するために使用することができる。
【００１１】
また、フック部材のスライド溝と、テーブル本体のスライド受け軸との間の摩擦力を利用し、フック部材のスライドに対して所定の抵抗力を与えることにより、テーブル本体に対してフック部材を、そのスライド位置に安定して留めることが可能となる。
【図面の簡単な説明】
【００１２】
【図１】コンソール構成体を表した外観斜視図。
【図２】図１のII−II矢視方向の拡大断面図。
【図３】テーブル面にタブレットＰＣを保持した状態を表した断面図。
【図４】図１のIV−IV矢視方向の拡大断面図。
【図５】自動車のシートバックに設けられたコンソール構成体を表した外観斜視図。
【発明を実施するための形態】
【００１３】
以下、本発明を実施するための形態を、図面を用いて説明する。
図１で示すコンソール構成体は、ベース１０に回転式のテーブル本体１４およびカップホルダー２８が組付けられた構造になっている。
コンソール用テーブルの主体となるテーブル本体１４は、その前方寄りの箇所がベース１０に対して回転軸１２により回転可能に支持されている。また、テーブル本体１４は、その表裏両面がそれぞれテーブル面１４ａ，１４ｂになっている。そこで、テーブル本体１４を回転軸１２の軸線回りに回転操作すると、このテーブル本体１４が図１（Ａ）で示す状態から図１（Ｂ）で示す状態になり、表裏のテーブル面１４ａ，１４ｂを反転させることができる。すなわち、図１（Ａ）で示す状態でのテーブル本体１４は、ベース１０におけるカップホルダー２８の前方のスペース内に収まっており、一方のテーブル面１４ａが表側になっている。これに対し、図１（Ｂ）で示す状態でのテーブル本体１４は、その一部がベース１０から前方に張り出しており、他方のテーブル面１４ｂが表側になっている。
【００１４】
テーブル本体１４における左右中央の前後二箇所には、ガイド孔１６がそれぞれ開けられている（図２）。これらのガイド孔１６は、テーブル本体１４の厚み方向に貫通することで、両テーブル面１４ａ，１４ｂにおいて開口している。また、両ガイド孔１６の開口箇所には、テーブル面１４ａ，１４ｂよりも低くなった凹部１８がそれぞれ設けられている。これらの各凹部１８におけるテーブル面１４ａ，１４ｂとの段差は、後述するフック部材２０の係止部２２の厚みとほぼ同じ寸法に設定されており、凹部１８に収まった係止部２２の端面がテーブル面１４ａ，１４ｂと面一状態になる（図２）。
テーブル本体１４は、両ガイド孔１６の内部において固定された二本のスライド受け軸１７を備えている。これらのスライド受け軸１７は、フック部材２０の後述するスライド溝２４を挿通するように配置されている。
【００１５】
テーブル本体１４の両ガイド孔１６には、個々にフック部材２０が組付けられている。これらのフック部材２０は、例えば図２の上下方向へスライド可能であり、それによって両テーブル面１４ａ，１４ｂに対して交互に突出し、あるいは後退することができる。
両フック部材２０は、それぞれの両端部において係止部２２を備えている。これらの係止部２２は、両テーブル面１４ａ，１４ｂ側に個別に位置している。そして、図２の下側のようにフック部材２０が突出している側の係止部２２は、テーブル面１４ｂとの間に所定の隙間が確保されている。また、図２の上側のようにフック部材２０が後退している側の係止部２２は、前述のように凹部１８に収まってテーブル面１４ａと面一状態になっている。
【００１６】
両フック部材２０は、そのスライド方向（図２の上下方向）に延びるスライド溝２４をそれぞれ備えている。これらのスライド溝２４には、前述したようにスライド受け軸１７が個々に二本ずつ挿通している。これらのスライド受け軸１７は、両フック部材２０のスライドを安定させるとともに、スライド溝２４の内面との摩擦力によって両フック部材２０のスライドに所定の抵抗を与える。この抵抗により、フック部材２０を図２あるいは図３のスライド位置に安定して留めることができる。
なお、スライド溝２４の内面に突起（図示省略）を設け、その突起がスライド受け軸１７を乗り越えることで、フック部材２０が図２あるいは図３のスライド位置に達したときに節度感をもたせることも可能である。
【００１７】
このように構成されたコンソール用テーブルにおいて、図１（Ａ）および図２で示す状態では、テーブル本体１４のテーブル面１４ａが表面側になっており、かつ、前後の両フック部材２０が裏側のテーブル面１４ｂに突出している。この場合、テーブル面１４ａの側に位置している両フック部材２０の係止部２２は個々の凹部１８に収まってテーブル面１４ａと面一状態になっている。したがって、このテーブル面１４ａは、突起物などのない平坦な状態で通常どおりに使用することができる。
【００１８】
図２で示す状態の両フック部材２０を、それぞれ上方へスライドさせてテーブル面１４ａの側に突出させる。これにより、該テーブル面１４ａの側に位置している両フック部材２０の係止部２２が凹部１８から出てテーブル面１４ａよりも上方に位置する（図３）。したがって、このテーブル面１４ａは、両フック部材２０の係止部２２によって所定の対象物であるタブレットＰＣ３０を保持することができる。
【００１９】
テーブル本体１４をベース１０に対して回転軸１２の軸線回りに回転操作することにより、図１（Ｂ）で示すようにテーブル面１４ｂを表側にすることができる。このテーブル面１４ｂにおいても、両フック部材２０を突出させることで個々の係止部２２によってタブレットＰＣ３０を保持することができ（図４）、両フック部材２０をテーブル面１４ｂから後退させることで、本来のテーブルとして使用することができる。
【００２０】
テーブル本体１４を回転操作してテーブル面１４ａ，１４ｂを交互に表側にできることから、例えば図２で示すように両フック部材２０を裏側に突出させた状態において、表側のテーブル面１４ａは通常のテーブルとして使用でき、裏側のテーブル面１４ｂはテーブル本体１４を反転させることで、そのままタブレットＰＣ３０のホルダーとして使用することができる。
なお、回転軸１２を支点とするテーブル本体１４の回転角度は、例えば９０〜１８０°の範囲における任意の角度で保持できるようになっている。このため、テーブル面１４ｂをタブレットＰＣ３０のホルダー用として使用する場合などでは、テーブル面１４ｂを好みの傾斜に設定することができる。
【００２１】
以上のように構成されたコンソール構成体は、図５で示すように自動車用のシート４０におけるシートバックコンソールとして用いることも可能である。この場合、シートバックを倒したときだけでなく、シート４０を使用している状態においても、テーブル本体１４を後部席用のタブレットＰＣ３０のホルダーとして使用できる。なお、図５（Ａ）はテーブル本体１４のテーブル面１４ａをタブレットＰＣ３０のホルダーとして使用している状態であり、図５（Ｂ）はテーブル面１４ｂをタブレットＰＣ３０のホルダーとして使用している状態である。
【００２２】
以上は本発明を実施するための最良の形態を図面に関連して説明したが、この実施の形態は本発明の趣旨から逸脱しない範囲で容易に変更または変形できるものである。
例えば、テーブル本体１４の前後に設けられているフック部材２０は、いずれか片方だけでもタブレットＰＣ３０を保持することができる。また、テーブル本体１４においては、その表裏両面の少なくとも一方の面のみがテーブル面になっている場合でも、係止部２２を有するフック部材２０のスライド操作により、該テーブル面を本来のテーブルとして使用し、あるいはタブレットＰＣ３０のホルダーとして使用することができる。
【符号の説明】
【００２３】
１４   テーブル本体
１４ａ，１４ｂ  テーブル面
１６   ガイド孔
２０   フック部材
２２   係止部
３０   タブレットＰＣ（対称物）
【図１】
0006022415.tif 000002
【図２】
0006022415.tif 000003
【図３】
0006022415.tif 000004
【図４】
0006022415.tif 000005
【図５】
0006022415.tif 000006